(57)【特許請求の範囲】
【請求項１】
窯業系の基材をプレスして成型する金型であって、前記基材が離型しにくくなる部位に、局所的に温度を上昇させる局所加熱機構を備え、
前記プレスはホットプレスであり、前記局所加熱機構は、前記ホットプレスの加熱機構とは独立して加熱可能に設けられていることを特徴とするプレス成型金型。
【請求項２】
窯業系の基材をプレスして成型する金型であって、前記基材が離型しにくくなる部位に、局所的に温度を上昇させる局所加熱機構を備え、
前記局所加熱機構を複数備えるとともに、複数の前記局所加熱機構は、それぞれ独立して加熱可能に設けられていることを特徴とするプレス成型金型。
【請求項３】
前記プレス成型金型は、基材表面に凹凸模様を形成することを特徴とする請求項１又は２に記載のプレス成型金型。
【請求項４】
窯業系の基材を金型によりプレスして成型し、前記金型において前記基材が離型しにくくなる部位を判定し、この部位において局所的に温度を上昇させる局所加熱機構を機能させることにより、プレス成型時の加熱温度を制御することを特徴とするプレス成型の温度制御方法。
【請求項５】
請求項１〜３のいずれか１項に記載のプレス成型金型を用い、前記窯業系の基材をプレスして成型することを特徴とする窯業系成型物の製造方法。
【発明の詳細な説明】
【技術分野】
【０００１】
本発明は、窯業系基材をプレスして成型するための金型に関する。また、プレス成型の際の温度制御方法に関する。また、窯業系成型物の製造方法に関する。
【背景技術】
【０００２】
従来、金型により基材をプレスして成型を行うプレス成型が知られている。例えば、特許文献１には、型枠内に原料を投入しプレスして成型するホットプレス装置が開示されている。
【先行技術文献】
【特許文献】
【０００３】
【特許文献１】特開昭６３−１０８１９１号公報
【発明の概要】
【発明が解決しようとする課題】
【０００４】
図５は、窯業系の基材１０をプレスして表面に凹凸模様を転写して成型する方法の一例を示している。プレス成型金型１は、成型空間６に半硬化状態（完全に硬化していない流動性のある状態）の基材１０を投入し、側方に側型５を配置した状態で、上型３と下型４とで基材１０を挟み込んで押圧（プレス）して、基材１０表面に凹凸模様を形成するものである。このとき、プレスは加熱状態で押圧を行うホットプレスが好適である。表面に凹凸模様が形成された基材１０は、硬化及び養生されるなどして、外壁材などの建築基材として利用することができる。
【０００５】
ここで、窯業系の基材１０をプレス成型するにあたっては、局所的に離型しにくくなる部分が生じる場合がある。すなわち、上型３と下型４とで基材１０を挟みこんだ状態から、上型３を上方に移動させて下型４から離間させる際に、基材１０が上型３に吸着したり引っ掛かったりして上型３に引っ付き離型しにくくなるのである。
【０００６】
図６は、プレス成型の際に、基材１０が上型３に吸着して離型しにくくなった場合の一例を示している。上型３が基材１０表面から離れる方向に移動する際に、離型しにくくなったところでは、基材１０全体が下型４の上に留まろうとする力と、基材１０が引っ付いて上型３とともに移動しようとする力とが働くことになる。そのため、基材１０の一部が上型３に引っ付いて破片２０となって基材１０の本体から脱離し、基材１０の表面に破損が生じてしまう。このように破損が生じた基材１０では、粗悪な製品となるおそれがあり、また、製品の意匠性を損なってしまう。特に、破片２０は凹凸模様を構成する凸部１１の角部１１ａで発生しやすく、この角部１１は凹凸模様の目立つ部位となるため、基材１０の意匠性が悪くなりやすい。またさらに、破片２０が付着したまま次に搬送されてくる基材１０をプレス成型金型１で成型すると、破片２０によって凹凸模様を良好に転写することができず、更なる成型不良が発生してしまう。
【０００７】
特に、セメント材料など、窯業系の材料を型枠によって連続的にプレス成型する工程においては、同じ型枠で繰り返し成型を行うものであり、型枠に材料が付着してしまい、この付着した材料で成型性を悪化させる場合がある。さらに、基材表面の凹凸模様の柄が深い部分やエッジが効いた部分では、材料の付着が発生しやすく、製品の不良化率や型枠の交換頻度が増え、生産性の低下が懸念される。
【０００８】
これまで、型枠へのセメントの付着を避けるために、型枠表面に離型剤を塗布し、セメントを付着しにくくすることが知られているが、離型剤の使用によって材料の付着を防ぐことが十分でない場合もある。特に、連続してプレス成型する際に、毎回、あるいは回数の頻度高く、離型剤を型枠表面に塗布すると、作業が煩雑になるおそれがある。また、離型剤を使用する場合であっても、凹凸柄の深い部分には離型剤が届きにくく、離型作用が不十分になるおそれがある。
【０００９】
離型性を高めるために、凹凸模様の柄の深さを浅くしたり、凹凸模様の角をより鈍角にしたりして、基材１０の表面形状をセメント材料が付着しにくいものにすることも考えられる。しかしながら、その場合、凹凸模様の柄形状に制限を受けてしまい、意匠性の高い模様を基材１０に成型できなくなるおそれがある。
【００１０】
本発明は、上記の事情に鑑みてなされたものであり、離型性に優れ、基材を破損することなく成型することができるプレス成型金型、プレス成型の温度制御方法、及び、窯業系成型物の製造方法を提供することを目的とするものである。
【課題を解決するための手段】
【００１１】
本発明に係るプレス成型金型は、窯業系の基材をプレスして成型する金型であって、前記基材が離型しにくくなる部位に、局所的に温度を上昇させる局所加熱機構を備えていることを特徴とするものである。
【００１２】
本発明では、前記プレスはホットプレスであり、前記局所加熱機構は、前記ホットプレスの加熱機構とは独立して加熱可能に設けられていることが一の態様である。
【００１３】
本発明では、前記局所加熱機構を複数備えるとともに、複数の前記局所加熱機構は、それぞれ独立して加熱可能に設けられていることが一の態様である。
本発明では、前記プレス成型金型は、基材表面に凹凸模様を形成することが好ましい。
【００１４】
本発明に係るプレス成型の温度制御方法は、窯業系の基材を金型によりプレスして成型し、前記金型において前記基材が離型しにくくなる部位を判定し、この部位において局所的に温度を上昇させる局所加熱機構を機能させることにより、プレス成型時の加熱温度を制御することを特徴とするものである。
【００１５】
本発明に係る窯業系成型物の製造方法は、前記プレス成型金型を用い、前記窯業系の基材をプレスして成型することを特徴とするものである。
【発明の効果】
【００１６】
本発明によれば、離型性に優れ、基材を破損することなくプレス成型することができる。
【図面の簡単な説明】
【００１７】
【図１】プレス成型金型の実施形態の一例を示す断面図である。
【図２】プレス成型金型により基材をプレス成型する方法の一例を示す断面図であり、（ａ）はプレス前、（ｂ）はプレス後の状態である。
【図３】プレス成型金型により基材をプレス成型する方法の一例を示す拡大断面図である。
【図４】プレス成型金型によって成型された基材の一例を示す斜視図である。
【図５】プレス成型金型により基材をプレス成型する方法の一例を示す断面図であり、（ａ）はプレス前、（ｂ）はプレス後の状態である。
【図６】従来のプレス成型金型により基材をプレス成型する方法の一例を示す拡大断面図である。
【発明を実施するための形態】
【００１８】
図１は、プレス成型金型の実施形態の一例である。このプレス成型金型１は、窯業系の基材１０をプレスして成型する金型である。プレス成型金型１は、基材１０を載置する下型４と、下型４に対向して上方に配置される上型３と、上型３と下型４とに挟まれた空間の側方に配置される側型５とにより構成されている。そして、上型３、下型４及び側型５からなる型枠により囲まれた空間により、成型するための材料を投入して成型を行う成型空間６が設けられている。なお、側型５は、少なくとも基材１０の両側方に配置されるものであってよいが、基材１０の外周に亘って配置されるものであってもよい。
【００１９】
図２に示すように、本形態のプレス成型金型１は、成型空間６に半硬化状態（完全に硬化していない流動性のある状態）の基材１０を投入し、側方に側型５を配置するとともに、上型３と下型４とで基材１０を挟み込んで押圧（プレス）して、基材１０表面に凹凸模様を形成するものである。このとき、プレスは加熱状態で加圧を行うホットプレスであってよい。
【００２０】
本形態では、上型３は、内部が中空に形成されて中空部３ｂが設けられ、上型３の下部には基材１０表面に凹凸模様を転写するための凹凸形状が設けられた凹凸部３ａが形成されている。この凹凸部３ａは、転写するための凹凸模様に沿って凹凸状に形成された板状の部分である。上型３の下表面（下型４に対向する表面）に凹凸形状が設けられていることにより、プレス成型によって基材１０に凹凸模様を付与することができる。上型３は鋼材を加工することにより形成することができる。鋼材として鋼板材を用いてもよい。上型３の上部には、中空部３ｂと外部とを連通させる孔が設けられていることが好ましい。それにより局所加熱機構２を設置するのが容易になる。ただし、上型３の構成は、これに限られるものではない。例えば、鋳物として形成し、中空部３ｂのない上型３を用いてもよい。また、上部が蓋体などで覆われずに中空部３ｂが形成されておらず、転写する凹凸面に沿って凹凸状に形成されたような上型３を用いてもよい。なお、プレス成型金型１は一部が樹脂性の型枠であってもよい。樹脂を用いる場合には耐熱性樹脂を用いることが好ましい。
【００２１】
そして、本発明によるプレス成型金型１では、基材１０が離型しにくくなる部位に、局所的に温度を上昇させる局所加熱機構２を備えている。それにより、プレス成型後に上型３が基材１０から離れる際に離型が容易となり、基材１０から破片２０（図６参照）が脱離して基材１０が破損したり、破片２０が引っ付いた状態で別の基材１０にプレス成型したりすることを抑制することができる。そのため、複雑な凹凸模様や柄深さの深い凹凸模様を容易に形成することができるので、意匠性のよいプレス成型物を製造効率よく得ることができる。
【００２２】
局所加熱機構２は、加熱できる適宜の機構を用いることができる。例えば、各種のヒーターや電熱線や電熱板などを用いることができる。局所加熱機構２としては、特に、リボンヒーターを用いることが好ましい。リボンヒーターは柔軟性があり、簡単に局所的に加熱機構を設けることができる。また、局所加熱機構２として、蒸気配管、温水配管、オイル配管などの加熱配管を用いてもよい。
【００２３】
本形態では、局所加熱機構２は、上型３の下部に形成された凹凸部３ａの裏面に設けられている。転写面とは反対側の凹凸面である凹凸部３ａの裏面に局所加熱機構２を設けることにより、転写面側への温度伝達が容易となり、局所的に温度を上昇させて離型性を高める効果をより発揮することができる。さらに、図１の形態では、凹凸部３ａの裏面側に突出する角部７において、この角部７を跨ぐように局所加熱機構２が配設されている。凹凸部３ａの角部７は、基材１０の凹凸模様における凸部１１の角部１１ａを形成する部位であり、図６に示すように、基材１０が離型しにくい部分となるが、この部位に局所加熱機構２を設けることにより、離型が容易になるものである。
【００２４】
図１の形態では、全ての角部７に局所加熱機構２が設けられた例が図示されているが、局所加熱機構２は、少なくとも離型しにくい角部７に設けられていればよい。例えば、基材１０の端部において離型しにくい場合は、基材１０の端部側の角部７ｂに端部側の局所加熱機構２ｂを設け、その他の角部７には局所加熱機構２を設けないようにしてもよい。また、基材１０の中央部において離型しにくい場合は、基材１０の中央部の角部７ａに中央部の局所加熱機構２ａを設け、その他の角部７には局所加熱機構２を設けないようにしてもよい。このように、局所加熱機構２は、離型しにくい部位において設けられていればよいものである。例えば、離型しにくい部位が一つであれば、局所加熱機構２はその部位に一個設けられてもよい。ただし、離型性をより向上させるためには、複数の部位で局所加熱機構２を設けることが好ましい。
【００２５】
また、ホットプレスによってプレス成型する場合には、ホットプレスの加熱機構による加熱が届きにくいところに、局所加熱機構２を設けることが好ましい。ホットプレスではホットプレス機構自体の加熱によって金型の温度が上昇するのであるが、金型の形状が複雑になると、ホットプレスの加熱機構による加熱が届きにくい部位が生じる場合がある。そのような部位において局所加熱機構２が設けられると、局所加熱機構２によってホットプレスの加熱を十分に補強することができ、離型性よく基材１０を成型することができるものである。
【００２６】
また、局所加熱機構２は、基材１０の凹凸模様が複雑になった部位に対応して設けることも好ましい。上型３は、基材１０と接触したときに基材１０から温度が伝達して温度が低下することがある。このように上型３の温度が低下すると、基材１０が離型しにくくなるおそれがある。特に、基材１０の凹凸模様が複雑なところでは、基材１０と金型との接触面積が大きくなるため、金型温度が低下しやすく、基材１０が離型しにくくなる。そこで、凹凸模様が複雑な部位に局所加熱機構２が設けられていると、基材１０が離型しやすくなり、基材１０の離型不良が抑制できるのである。
【００２７】
また、局所加熱機構２は、基材１０の凸部１１の突出高さの高い部位に対応して設けることも好ましい。前述のように、上型３は、基材１０と接触したときに基材１０から温度が伝達して温度が低下することがある。このように上型３の温度が低下すると、基材１０が離型しにくくなるおそれがある。特に、基材１０の凸部１１の突出高さが高いところでは、凸部１１の先端が基材１０の本体から距離が離れるため、金型温度が低下しやすく、基材１０が離型しにくくなる。そこで、凸部１１の突出高さの高い部位に局所加熱機構２が設けられていると、基材１０が離型しやすくなり、基材１０の離型不良が抑制できるのである。特に、凸部１１の角部１１ａは基材１０と金型との接触面積が大きくなる部位であるが、この部位に局所加熱機構２を設けることによって、離型性を格段に高めることができるものである。
【００２８】
図２により、図１のプレス成型金型１を用い、窯業系の基材１０をプレスして表面に凹凸模様を転写して成型する方法の一例を説明する。
【００２９】
プレス成型にあたっては、まず、成型空間６に半硬化状態の基材１０を投入する。その際、ホットプレスの場合には、各金型を加熱しておいてもよい。次に、上型３と下型４とで基材１０を挟み込んで押圧（プレス）して、基材１０表面に凹凸模様を形成する。プレスは、上型３を下方に移動し、所定の圧力で基材１０の表面を押圧した後、上型３を上方に移動させることにより行うことができる。なお、プレス方法は、上型３を固定し下型４を上方に移動させてプレスしたり、上型３を下方に移動させるとともに下型４を上方に移動させて、上型３と下型４の両方を近づけて挟みこんでプレスしたりするものであってもよい。
【００３０】
本形態のプレス成型金型１を用いた場合、図３に示すように、プレス成型後の離型性が向上する。図６に示すように、従来のプレス成型では、基材１０が上型３に吸着して上型３が基材１０表面から離れる方向に移動する際に、基材１０の一部が上型３に引っ付いて破片２０となって基材１０から脱離し、基材１０の表面に破損が生じてしまうおそれがある。しかしながら、本形態のプレス成型金型１では、局所加熱機構２により離型しにくい部分が局所的に加熱されているので、離型性が良好になり、破片２０ができることが低減される。そのため、基材１０を破損することなくプレス成型することができ、連続的にプレス成型しても意匠性の高い成型を行うことができるのである。特に、エッジの効いた角部１１ａ、例えば広がり角度θが９０度以上１３５度以下のような角部１１ａにおいては離型性が悪くなりやすいが、局所加熱機構２による加熱によって離型性を高めることができ、基材１０の破損を効果的に抑制することができるものである。
【００３１】
そして、表面に凹凸模様を形成した後には、基材１０を硬化及び養生するなどの次工程を行うことによって基材１０の成型物を得ることができる。こうして、プレス成型された基材１０は、外壁材などの建築基材として利用されるものである。
【００３２】
本形態では、プレスがホットプレスの場合には、局所加熱機構２は、ホットプレスの加熱機構とは独立して加熱可能に設けられていることが好ましい。それにより、局所的な加熱のオン及びオフが可能になり、ホットプレスの加熱機構とは独立して離型しにくくなったところに局所的に加熱することが可能となる。また、ホットプレスの加熱機構のオン及びオフとは別に、オン及びオフをすることが可能になるので、加熱制御の自由度が高まる。例えば、ホットプレスの加熱機構をオンするとともに局所加熱機構２をオフにしておき、連続プレス成型を行って、離型しにくくなったときに局所加熱機構２をオンして、離型性を高めることもできる。ただし、離型性が担保できるならば、ホットプレスの加熱機構のオン及びオフと連動して局所加熱機構２がオン及びオフされるようにしてもよい。連動してオン及びオフする場合には、全体の加熱機構をより簡単にすることができる。
【００３３】
また、本形態では、局所加熱機構２を複数備えるとともに、複数の局所加熱機構２は、それぞれ独立して加熱可能に設けられていることがより好ましい形態である。その場合、離型性のよくない部位の局所加熱機構２をオンするとともに、離型性に問題のない局所加熱機構２をオフにしておいてプレス成型することができ、より繊細な加熱制御を行って、効率よくプレス成型することができる。例えば、図１の形態では、全ての角部７や、離型しにくくなりそうな角部７のそれぞれに局所加熱機構２を設けておく。そして、例えば、基材１０の端部において離型しにくい場合は、基材１０の端部側の角部７ｂに設置された端部側の局所加熱機構２ｂをオンする。その際、その他の角部７に設置された局所加熱機構２はオフにしておいてよい。また、基材１０の中央部において離型しにくい場合は、基材１０の中央部の角部７ａに設置された中央部の局所加熱機構２ａをオンする。その際、その他の角部７に設置された局所加熱機構２はオフにしておいてよい。このように、複数の局所加熱機構２が独立して加熱のオン及びオフが可能ならば、離型しにくい部位において局所的に加熱することができ、離型性を効率よく高めることができるものである。
【００３４】
図４は、本形態のプレス形成金型１によってプレス成型された基材１０の一例を示している。この基材１０では、矩形状の凸部１１が縦方向及び横方向に複数配列されている。凸部１１の間には縦横に延伸する目地溝１２が凹部として形成されている。このような基材１０は例えばレンガ調の外壁材として用いることができる。そして、プレス成型で凹凸模様を基材１０に形成するにあたっては、矩形状の凸部１１の角隅部１３において離型しにくくなる場合がある。しかし、本形態では、この角隅部１３に対応する金型の部位に局所加熱機構２を配設してプレス成型を行うことにより、角隅部１３の離型性が高まって、成型不良を低減することができる。また、上述のように加熱する部位の制御を行えば、基材１０の中央部における凸部１１の角隅部１３ａを加熱したり、基材１０の隅部における凸部１１の角隅部１３ｂを加熱したりすることができ、効率よく離型性を高めることができるものである。
【００３５】
なお、本形態では、局所加熱機構２により離型性が高まるものであり、基材１０と金型（上型３）との間に離型剤を用いなくてもよいが、離型性をさらに高めるために離型剤を用いてもよい。例えば、上型３に離型剤を塗布し、さらに局所的に加熱を行うと、局所的に加熱された部位についてさらに離型性を高めることができる。また、たとえ離型剤を用いる場合であっても、局所加熱機構２が設けられて離型性が高まっているので、離型剤の量を減らしたり、離型剤を塗布する回数を減らしたりすることができる。
【００３６】
次に、プレス成型時の加熱温度の制御方法について説明する。プレス成型の温度制御方法は、窯業系の基材１０を金型によりプレスして成型し、金型において基材１０が離型しにくくなる部位を判定し、この部位において局所的に温度を上昇させる局所加熱機構２を機能させて、プレス成型時の加熱温度を制御するものである。
【００３７】
プレス成型時の加熱温度の制御については、局所加熱機構２の設置の制御と、局所加熱機構２のオン及びオフの制御との二つの態様がある。
【００３８】
局所加熱機構２の設置の制御では、まず、図５に示すように、局所加熱機構２の設けられていないプレス成型金型１により基材１０をプレス成型する。次に、このプレス成型金型１において基材１０が離型しにくくなる部位を判定する。このときプレス成型を複数回連続して行って、離型しにくくなる部位を調べてもよい。基材１０が離型しにくい場所には、例えば、図６のように破片２０が付着する。そして、この基材１０が離型しにくい部位に、局所的に温度を上昇させる局所加熱機構２を設置する。こうして例えば図１に示されるような局所加熱機構２を備えたプレス成型金型１が得られる。そして、このプレス成型金型１を用い、局所加熱機構２をオンすることにより機能させて、プレス成型を行う。これにより、離型性が向上し、プレス成型を良好に行うことが可能になる。
【００３９】
また、局所加熱機構２のオン及びオフの制御では、まず、図１に示すような、局所加熱機構２が複数設けられたプレス成型金型１により基材１０をプレス成型する。局所加熱機構２としては、それぞれ独立してオン及びオフ可能なものを用いるようにする。次に、このプレス成型金型１において基材１０が離型しにくくなる部位を判定する。このときプレス成型を複数回連続して行って、離型しにくくなる部位を調べてもよい。基材１０が離型しにくい場所には、例えば、図６のように破片２０が付着する。そして、この基材１０が離型しにくい部位における局所加熱機構２をオンすることにより機能させて、プレス成型を行う。これにより、離型性が向上し、プレス成型を良好に行うことが可能になる。
【００４０】
以上のように、局所加熱機構２が設けられたプレス成型金型１を用いれば、離型性に優れ、基材１０を破損することなくプレス成型することができるものである。そして、複雑な形状や、凹凸高さの高い基材１０を効率よく成型することができ、意匠性の高い成型を行うことが可能になるものである。
【００４１】
なお、上記において説明した形態は、本発明の一例を示すものであり、本発明は、上記の形態に限定されないことは言うまでもない。例えば、下型４又は側型５が転写型となるのであれば、転写型として機能する下型４又は側型５に局所加熱機構２を設けるようにしてもよい。
【符号の説明】
【００４２】
１      プレス成型金型
２      局所加熱機構
３      上型
６      下型
５      側型
６      成型空間
７      角部
１０    基材
１１    凸部
１２    目地溝
１３    角隅部
【図１】
0005873340.tif 000002
【図２】
0005873340.tif 000003
【図３】
0005873340.tif 000004
【図４】
0005873340.tif 000005
【図５】
0005873340.tif 000006
【図６】
0005873340.tif 000007